(57)【要約】【課題】使用者の状況に応じて補助部材を所望の部位に取り付けて使用者の状況に適切にかつ臨機応変に対応できる生理用布ナプキンを提供する。【解決手段】吸収性を有する吸収部本体１と、吸収部本体１の機能を補う少なくとも１個の補助部材２〜４とを備え、吸収部本体１及び補助部材２〜４には、互いに係合し合い、吸収部本体１に補助部材２〜４を着脱自在に連結するための連結部（スナップボタン１ｄ，１ｅ，１ｆ，２ｂ，３ｂ，４ｃ）が形成されている。補助部材２，３が吸収部本体１から幅方向に張り出して取り付けられて漏れを吸収する機能を備え、連結部が吸収部本体１の長さ方向に沿って少なくとも１個形成され、吸収部本体には連結部が設けられたベルト部材１ｂが形成され、補助部材が平面視  ほぼ円形状となっており、補助部材の一部がオーバーラップしている。【選択図】図５
2006311911.tif 000002
【特許請求の範囲】
【請求項１】
吸収性を有する吸収部本体と、当該吸収部本体の機能を補う少なくとも１個の補助部材とを備え、前記吸収部本体及び前記補助部材には、互いに係合し合い、前記吸収部本体に前記補助部材を着脱自在に連結する連結部が形成されていることを特徴とする生理用布ナプキン。
【請求項２】
前記補助部材が前記吸収部本体から幅方向に張り出して取り付けられて漏れを吸収する機能を備えた補助部材であることを特徴とする請求項１記載の生理用布ナプキン。
【請求項３】
前記連結部が相互に係合し合うスナップボタンからなることを特徴とする請求項１記載の生理用布ナプキン。
【請求項４】
前記連結部が相互に係合し合う面テープからなることを特徴とする請求項１記載の生理用布ナプキン。
【請求項５】
前記連結部が前記吸収部本体の長さ方向に沿って少なくとも１個形成されていることを特徴とする請求項１記載の生理用布ナプキン。
【請求項６】
前記吸収部本体にはベルト部材が形成され、このベルト部材に前記吸収部本体側の連結部が形成されていることを特徴とする請求項１記載の生理用布ナプキン。
【請求項７】
前記補助部材が平面視ほぼ円形状となっており、当該連結部を前記吸収部本体の連結部に取り付けた際に、前記吸収部本体から幅方向に両側に張り出して配置されることを特徴とする請求項１記載の生理用布ナプキン。
【請求項８】
前記吸収部本体に形成された連結部に複数の補助部材をその連結部において連結した際に、これらの複数の補助部材の一部が長さ方向にオーバーラップして配置されることを特徴とする請求項１記載の生理用布ナプキン。
【発明の詳細な説明】
【技術分野】
【０００１】
本発明は、使用者の状況などに応じて機能をオプションで追加することができる生理用布ナプキンに関する。
【背景技術】
【０００２】
最近、使用者などから生理用布ナプキンが、吸水ポリマーなどを原料とした紙製のナプキンに対して注目されている。これは、再利用ができて環境に対する負荷が小さく、プラスチックや高分子吸水ポリマーなどの石油由来の化学物質を使用していないので使用者に優しいことなどからの理由からである。
【特許文献１】特開平２００１−３５３１８２
【特許文献２】特開平２００４−３３７２０４
【発明の開示】
【発明が解決しようとする課題】
【０００３】
上述した従来の生理用布ナプキンでは、その形状や構造から、使用者の経血量などの状況に応じて、適切かつ臨機応変に対処することができない場合があった。例えば、従来の生理用布ナプキンは前後方向に吸収部を備えているだけの形状であるので、経血などの横方向への漏れや尻側へ漏れなどに適切に対応することができない。
【０００４】
本発明はかかる事情に鑑みてなされたもので、使用者の状況に応じて補助部材を所望の部位に取り付けて使用者の状況に適切かつ臨機応変に対応することができる生理用布ナプキンを提供することを目的とする。
【課題を解決するための手段】
【０００５】
（１）吸収性を有する吸収部本体と、当該吸収部本体の機能を補う少なくとも１個の補助部材とを備え、前記吸収部本体及び前記補助部材には、互いに係合し合い、前記吸収部本体に前記補助部材を着脱自在に連結する連結部が形成されている。
（２）前記補助部材が前記吸収部本体から幅方向に張り出して取り付けられて漏れを吸収する機能を備えた補助部材である。
（３）前記連結部が相互に係合し合うスナップボタンからなる。
（４）前記連結部が相互に係合し合う面テープからなる。
（５）前記連結部が前記吸収部本体の長さ方向に沿って少なくとも１個形成されている。
（６）前記吸収部本体にはベルト部材が形成され、このベルト部材に前記吸収部本体側の連結部が形成されている。
（７）前記補助部材が平面視ほぼ円形状となっており、当該連結部を前記吸収部本体の連結部に取り付けた際に、前記吸収部本体から幅方向に両側に張り出して配置される。
（８）前記吸収部本体に形成された連結部に複数の補助部材をその連結部において連結した際に、これらの複数の補助部材の一部が長さ方向にオーバーラップして配置される。
【発明の効果】
【０００６】
（１）吸収部本体に連結部を介して着脱自在に取り付ける補助部材の種類などを適宜選択することにより漏れなどを適切に回避することができる。補助部材の種類によっては吸収部本体が脱落しないように下着に係止することもできる。
（２）吸収部本体に取り付けられた補助部材を吸収部本体から幅方向に張り出して取り付ければ、横方向への漏れを適切に回避することができる。
（３）スナップボタンの係合という簡単な操作により吸収部本体に補助部材を、確実かつ迅速に、着脱自在に取り付けることができる。
（４）面テープの係合という簡単な操作により吸収部本体に補助部材を、確実かつ迅速に、着脱自在に取り付けることができ、しかも面状の部材であるので肌への刺激も少なくできる。
（５）吸収部本体の長さ方向に配置された連結部に補助部材を着脱自在に取り付けることができ、複数個の連結部を形成した場合には、使用者の状況に応じて同一又は異なる補助部材を異なった連結部に着脱自在に取り付けることができ、使用者の状況や好みなどに応じて適切な機能を持たせることができる。
（６）吸収部本体に設けられたベルト部材に連結部を形成すればよいので、吸収部本体の本来の吸収機能や遮水効果を損なうことなく、補助部材の取り付けを可能とすることができる。また、ベルト部材を片持ち状態で吸収部本体に設ければ、ベルト部材の折り返し方向を１８０°反転させて使用することにより、吸収部本体の両面を吸収に使用することができる。
（７）吸収部本体に取り付けられる補助部材が平面視ほぼ円形形状であるので、吸収部本体に取り付けた場合に吸収部本体から確実に側方に張り出させることができ、横方向への漏れを適切に回避することができる。
（８）隣接する補助部材が互いにオーバーラップした部位は補助部材の厚さが厚くなり、補助部材に吸収機能を持たせたものであれば吸収機能を向上させることができる。また、使用者が補助部材を選択してオーバーラップ代を変更すれば、装着感が良好でしかも吸収機能などが良好なものに変更できる。
【発明を実施するための最良の形態】
【０００７】
本発明の実施の一形態に係る生理用布ナプキンについて、図面を参照して説明する。図１〜図４は本実施の形態に係る生理用布ナプキンを構成する部品を示し、図５及び図６は各部品を組み立てて生理用布ナプキンを形作った状態を示す。図５は本実施の形態に係る生理用布ナプキンの表側（下着側）から見た図であり、図６は裏側（人体側）から見た図である。
【０００８】
本実施の形態に係る生理用布ナプキンは、吸収性を有する吸収部本体１に吸収部本体１の機能を補う補助部材２〜４が凸ボタンと凹ボタンとからなるスナップボタンにより着脱自在に取り付けられて構成される。
【０００９】
吸収部本体１は、図４に示すように、主として吸収機能を備えた吸収部１ａと、この吸収部１ａの表面に縫い目１ｃにより片持ち状態で縫い付けられたベルト部材１ｂとを備えている。ベルト部材１ｂにはその長さ方向に沿って３個のスナップボタン１ｄ，１ｅ，１ｆが設けられている。
【００１０】
吸収部１ａは、柄などが織り込まれた表地と、防水機能を有する防水シートと、吸収機能を有する布地（例えばキルトニット地）と、表地よりも幅方向、長さ方向共に短い寸法を有する吸収機能を備えた布地（例えば、キルトニット地）２枚と、ニット起毛地２枚とをこの順番で積層し、吸収部１ａの周縁を縁取りするように縫製して平板状に形成されている。ベルト部材１ｂは、吸収部１ａと同じ表地と裏地（ニット起毛地）を積層して周縁を縁取りするように縫製されている。
【００１１】
補助部材２，３は補助の吸収部材を構成し、図１又は図２に示すように、補助吸収部２ａ，３ａと、補助吸収部２ａ，３ａに形成されたスナップボタン２ｂ，３ｂを備えている。これらの補助吸収部２ａ，３ａは、吸収部１ａと同様に、表地と、防水シートと、ニット起毛地２枚とをこの順番で積層して周縁部を縁取りするように縫製して平板状に形成されている。
【００１２】
補助部材４は吸収部本体１を下着に係止するための係止部材を構成し、図３に示すように、係止部４ａと、係止部４ａに形成された４個のスナップボタン４ｂ，４ｃ，４ｄ，４ｅとを備えている。係止部４ａは、吸収部１ａの表地ど同じ生地からなる表地と裏地を２枚合わせて周縁を縁取りするように縫製して、平板状に形成されている。スナップボタン４ｃは吸収部本体１のベルト部材１ｂのスナップボタン１ｅに係止されるものであり、スナップボタン４ｂ，４ｄ，４ｅは係止部４ａの両端部を重合させた際に相互に係合させられるものである。スナップボタン４ｄ，４ｅは長さ調整のために２個設けたものである。
【００１３】
上記スナップボタン１ｄ，１ｅ，１ｆ，２ｂ，３ｂ，４ｂ，４ｃ，４ｄ，４ｅは本発明の連結部を構成する。吸収部本体１に補助部材２〜４を取り付ける連結部としては、相互に係合し合うマジックテープ（登録商標）のような面テープであってもよい。この場合、吸収部本体１側に設ける面テープは複数箇所であってもよいが、当該面テープを吸収部本体１の長さ方向に沿って設ければ、面テープが設けられた補助部材２〜４を吸収部本体１の長さ方向の任意の位置に取り付けることができる。これにより、使用者の状況や好みに応じて適切な位置に補助部材２〜４を設けることができる。
【００１４】
次に、本実施の形態に係る生理用布ナプキンの使用方法について説明する。ここでは補助部材２〜４をすべて吸収部本体１に取り付ける場合を例に説明するが、すべての補助部材を取り付ける必要もなく、補助部材も図示のものに限られず寸法や形状を異ならせたものを取り付けるようにしてもよい。
【００１５】
図５及び図６に示すように、吸収部本体１に形成されたベルト部材１ｂに設けられたスナップボタンに補助部材２〜４を順次取り付けていく。
【００１６】
まず、補助部材２をベルト部材１ｂと吸収部１ａとの間に介挿させ、ベルト部材１ｂに設けられたスナップボタン１ｄに補助部材２に設けられたスナップボタン２ｂを係合させる。これにより補助部材２は吸収部本体１の側方に張り出した状態で配置される。
【００１７】
次いで補助部材４をベルト部材１ｂと吸収部１ａとの間であって補助部材２とベルト部材１ｂとの間に介挿させ、ベルト部材１ｂに設けられたスナップボタン１ｅに補助部材４に設けられたスナップボタン４ｃを係合させる。この状態では、補助部材４はベルト部材１ｂの両側から外方に向かって突出する形になるが、これらの突出部の端部を重合させて端部付近に設けられたスナップボタン同士を係合させることにより図示のように下着を巻き込むようにループ状にされる。
【００１８】
次いで、補助部材３をベルト部材１ｂと吸収部１ａとの間に介挿させ、ベルト部材１ｂに設けられたスナップボタン１ｆに補助部材３に設けられたスナップボタン３ｂを係合させる。これにより、補助部材３は吸収部本体１の側方及び後方に張り出した状態で配置される。
【００１９】
このように、補助部材２及び３は吸収部本体１の側方及び後方に張り出して配置されるので、側方及び後方に漏れ出した経血などを確実に吸収させることができる。さらに、補助部材４により吸収部本体１は下着に係止されているので、不用意に吸収部本体１が外れてしまうことがない。補助部材２，３は一部がオーバーラップして配置され、その重合部における吸収機能を高めることができる。
【００２０】
次に、本発明の実施の他の形態に係る生理用布ナプキンについて図面を参照して説明する。図７〜図１０は本実施の形態に係る生理用布ナプキンを構成する部品を示し、図１１及び図１２は各部品を組み立てて生理用布ナプキンを形作った状態を示す。図１１は本実施の形態に係る生理用布ナプキンの表側（下着側）から見た図であり、図１２は裏側（人体側）から見た図である。
【００２１】
本実施の他の形態に係る生理用布ナプキンは、上述の実施の一形態に係る生理用布ナプキンと同様に、吸収性を有する吸収部本体１１に吸収部本体１１の機能を補う補助部材１２〜１４が凸ボタンと凹ボタンとからなるスナップボタンにより着脱自在に取り付けられて構成される。
【００２２】
吸収部本体１１は、図１０に示すように、主として吸収機能を備えた吸収部１１ａと、この吸収部１１ａの表面に縫い目１１ｃにより片持ち状態で縫い付けられたベルト部材１１ｂとを備えている。ベルト部材１１ｂの裏面にはその長さ方向に沿って３個のスナップボタン１１ｄ，１１ｅ，１１ｆが設けられ、表面にはその長さ方向に沿って３個のスナップボタン１１ｇ，１１ｈ，１１ｉが設けられている。
【００２３】
吸収部１１ａは、角が丸められた平面視ほぼ正方形をなしており、ニット起毛地からなる表地と、エアーニット地と、キルトニットからなる裏地とをこの順番で積層し、吸収部１１ａの周縁を縁取りするように縫製して平板状に形成されている。前述の実施の一形態に係る生理用布ナプキンとは異なり防水シートは積層されてはいない。このため両面で吸収を行うことができる。
【００２４】
補助部材１２，１３は補助の吸収部材を構成し、図７及び図８に示すように、補助吸収部１２ａ，１３ａと、補助吸収部１２ａ，１３ａに形成されたスナップボタン１２ｂ，１３ｂ，１３ｃを備えている。前記吸収部１１ａと同様な生地を積層して周縁部を縁取りするように縫製して平板状に形成されている。
【００２５】
補助部材１４は吸収部本体１１を下着に係止するための係止部材を構成し、図９に示すように、係止部１４ａと、係止部１４ａに形成された４個のスナップボタン１４ｂ，１４ｃ，１４ｄ，１４ｅとを備えている。前記吸収部１１ａと同様な生地を積層して周縁部を縁取りするように縫製することにより平板状に形成されている。スナップボタン１４ｂ，１４ｃ，１４ｄ，１４ｅは前述の一形態の４ｂ，４ｃ，４ｄ，４ｅと同様な作用効果をもつ。
【００２６】
次に、本実施の形態に係る生理用布ナプキンの使用方法について説明する。ここでは補助部材１２〜１４をすべて吸収部本体１１に取り付ける場合を例に説明するが、すべての補助部材を取り付ける必要もないし、補助部材も図示のものに限られず寸法や形状を異ならせたものを取り付けるようにしてもよいことは、前述の一形態と同様である。
【００２７】
図１１及び図１２に示すように、吸収部本体１１に形成されたベルト部材１１ｂに設けられたスナップボタンに補助部材１２〜１４を順次取り付けていく。
【００２８】
まず、図１２に示すように、吸収部本体１の吸収部１１ａをベルト部材１１ｂに沿うように３つ折りにして短冊状にする。
【００２９】
次いで、補助部材１２をベルト部材１１ｂと吸収部１１ａとの間に介挿させ、ベルト部材１１ｂに設けられたスナップボタン１１ｄに補助部材１２に設けられたスナップボタン１２ｂを着脱自在に係合させる。これにより補助部材２２は３つ折りにされた吸収部本体１１の側方に張り出した状態で配置される。
【００３０】
次いで補助部材１４をベルト部材１１ｂと吸収部１１ａとの間であって補助部材１２とベルト部材１１ｂとの間に介挿させ、ベルト部材１１ｂに設けられたスナップボタン１１ｅに補助部材１４に設けられたスナップボタン１４ｃを係合させる。前述の実施の一形態と同様に、補助部材１４はベルト部材１１ｂの両側から外方に向かって突出する形になるが、これらの突出部の端部を重合させてスナップボタン同士を係合させることにより下着を巻き込むようにループ状にされる。
【００３１】
次いで、補助部材１３をベルト部材１１ｂと吸収部１１ａとの間に介挿させ、ベルト部材１１ｂに設けられたスナップボタン１１ｆに補助部材１３に設けられたスナップボタン１３ｂを係合させる。これにより、補助部材１３は吸収部本体１１の側方及び後方に張り出した状態で配置される。
【００３２】
このように、補助部材１２及び１３が吸収部本体１１の側方及び後方に張り出して配置されるので、側方及び後方に漏れ出した経血などを確実に吸収させることができる。さらに、補助部材１４により吸収部本体１１は下着に係止されているので、不用意に吸収部本体１１が外れてしまうことがない。補助部材１２，１３の重合部（オーバーラップ部）の厚さが厚くなり、この部分の吸収機能を高めることができる。
【００３３】
吸収部本体１１に形成されたベルト部材１１ｂには、スナップボタン１１ｄ，１１ｅ，１１ｆの他に、その向きを反対にしたスナップボタン１１ｇ，１１ｈ，１１ｉが、スナップボタン１１ｄ，１１ｅ，１１ｆに隣接して設けているので、吸収部本体１１の折り返し方向を逆にして反対面を吸収に使用しようとする際に、ベルト部材１１ｂを吸収部本体１１の折り返し方向の変更に応じてほぼ１８０°回転させて位置させ、スナップボタン１１ｇ，１１ｈ，１１ｉのいずれかに補助部材１２〜１４を取り付けて使用することができる。
【図面の簡単な説明】
【００３４】
【図１】本発明の実施の一形態に係る生理用布ナプキンを構成する部品を示す図である。
【図２】本発明の実施の一形態に係る生理用布ナプキンを構成する部品を示す図である。
【図３】本発明の実施の一形態に係る生理用布ナプキンを構成する部品を示す図である。
【図４】本発明の実施の一形態に係る生理用布ナプキンを構成する部品を示す図である。
【図５】本発明の実施の一形態に係る生理用布ナプキンの使用状態を示す図である。
【図６】本発明の実施の一形態に係る生理用布ナプキンの使用状態を示す図である。
【図７】本発明の実施の他の形態に係る生理用布ナプキンを構成する部品を示す図である。
【図８】本発明の実施の一形態に係る生理用布ナプキンを構成する部品を示す図である。
【図９】本発明の実施の一形態に係る生理用布ナプキンを構成する部品を示す図である。
【図１０】本発明の実施の一形態に係る生理用布ナプキンを構成する部品を示す図である。
【図１１】本発明の実施の他の形態に係る生理用布ナプキンの使用状態を示す図である。
【図１２】本発明の実施の他の形態に係る生理用布ナプキンの使用状態を示す図である。
【符号の説明】
【００３５】
１，１１    吸収部本体
１ａ，１１ａ    吸収部
１ｂ，１１ｂ    ベルト部材
１ｃ，１１ｃ    縫い目
１ｄ，１ｅ，１ｆ，１１ｄ，１１ｅ，１１ｆ    スナップボタン
１１ｇ，１１ｈ，１１ｉ    スナップボタン
２，１２    補助部材
２ａ，１２ａ    補助吸収部
２ｂ，１２ｂ    スナップボタン
３，１３    補助部材
３ａ，１３ａ    補助吸収部
３ｂ，１３ｂ    スナップボタン
４    補助部材
４ａ，１４ａ    係止部
４ｂ，４ｃ，４ｄ，４ｅ，１４ｂ，１４ｃ，１４ｄ，１４ｅ    スナップボタン
【図１】
2006311911.tif 000003
【図２】
2006311911.tif 000004
【図３】
2006311911.tif 000005
【図４】
2006311911.tif 000006
【図５】
2006311911.tif 000007
【図６】
2006311911.tif 000008
【図７】
2006311911.tif 000009
【図８】
2006311911.tif 000010
【図９】
2006311911.tif 000011
【図１０】
2006311911.tif 000012
【図１１】
2006311911.tif 000013
【図１２】
2006311911.tif 000014
【手続補正書】
【提出日】平成17年5月9日(2005.5.9)
【手続補正１】
【補正対象書類名】明細書
【補正対象項目名】全文
【補正方法】変更
【補正の内容】
【発明の詳細な説明】
【技術分野】
【０００１】
本発明は、使用者の状況などに応じて機能をオプションで追加することができる生理用布ナプキンに関する。
【背景技術】
【０００２】
最近、使用者などから生理用布ナプキンが、吸水ポリマーなどを原料とした紙製のナプキンに対して注目されている。これは、再利用ができて環境に対する負荷が小さく、プラスチックや高分子吸水ポリマーなどの石油由来の化学物質を使用していないので使用者に優しいことなどからの理由からである。
【特許文献１】特開平２００１−３５３１８２
【特許文献２】特開平２００４−３３７２０４
【発明の開示】
【発明が解決しようとする課題】
【０００３】
上述した従来の生理用布ナプキンでは、その形状や構造から、使用者の経血量などの状況に応じて、適切かつ臨機応変に対処することができない場合があった。例えば、従来の生理用布ナプキンは前後方向に吸収部を備えているだけの形状であるので、経血などの横方向への漏れや尻側へ漏れなどに適切に対応することができない。
【０００４】
本発明はかかる事情に鑑みてなされたもので、使用者の状況に応じて補助部材を所望の部位に取り付けて使用者の状況に適切かつ臨機応変に対応することができる生理用布ナプキンを提供することを目的とする。
【課題を解決するための手段】
【０００５】
（１）吸収性を有する吸収部本体と、当該吸収部本体の機能を補う少なくとも１個の補助部材とを備え、前記吸収部本体及び前記補助部材には、互いに係合し合い、前記吸収部本体に前記補助部材を着脱自在に連結する連結部が形成されている。
（２）前記補助部材が前記吸収部本体から幅方向に張り出して取り付けられて漏れを吸収する機能を備えた補助部材である。
（３）前記連結部が相互に係合し合うスナップボタンからなる。
（４）前記連結部が相互に係合し合う面テープからなる。
（５）前記連結部が前記吸収部本体の長さ方向に沿って少なくとも１個形成されている。
（６）前記吸収部本体にはベルト部材が形成され、このベルト部材に前記吸収部本体側の連結部が形成されている。
（７）前記補助部材が平面視ほぼ円形状となっており、当該連結部を前記吸収部本体の連結部に取り付けた際に、前記吸収部本体から幅方向に両側に張り出して配置される。
（８）前記吸収部本体に形成された連結部に複数の補助部材をその連結部において連結した際に、これらの複数の補助部材の一部が長さ方向にオーバーラップして配置される。
【発明の効果】
【０００６】
（１）吸収部本体に連結部を介して着脱自在に取り付ける補助部材の種類などを適宜選択することにより漏れなどを適切に回避することができる。補助部材の種類によっては吸収部本体が脱落しないように下着に係止することもできる。
（２）吸収部本体に取り付けられた補助部材を吸収部本体から幅方向に張り出して取り付ければ、横方向への漏れを適切に回避することができる。
（３）スナップボタンの係合という簡単な操作により吸収部本体に補助部材を、確実かつ迅速に、着脱自在に取り付けることができる。
（４）面テープの係合という簡単な操作により吸収部本体に補助部材を、確実かつ迅速に、着脱自在に取り付けることができ、しかも面状の部材であるので肌への刺激も少なくできる。
（５）吸収部本体の長さ方向に配置された連結部に補助部材を着脱自在に取り付けることができ、複数個の連結部を形成した場合には、使用者の状況に応じて同一又は異なる補助部材を異なった連結部に着脱自在に取り付けることができ、使用者の状況や好みなどに応じて適切な機能を持たせることができる。
（６）吸収部本体に設けられたベルト部材に連結部を形成すればよいので、吸収部本体の本来の吸収機能や遮水効果を損なうことなく、補助部材の取り付けを可能とすることができる。また、ベルト部材を片持ち状態で吸収部本体に設ければ、ベルト部材の折り返し方向を３６０°反転させて使用することにより、吸収部本体の両面を吸収に使用することができる。
（７）吸収部本体に取り付けられる補助部材が平面視ほぼ円形形状であるので、吸収部本体に取り付けた場合に吸収部本体から確実に側方に張り出させることができ、横方向への漏れを適切に回避することができる。
（８）隣接する補助部材が互いにオーバーラップした部位は補助部材の厚さが厚くなり、補助部材に吸収機能を持たせたものであれば吸収機能を向上させることができる。また、使用者が補助部材を選択してオーバーラップ代を変更すれば、装着感が良好でしかも吸収機能などが良好なものに変更できる。
【発明を実施するための最良の形態】
【０００７】
本発明の実施の一形態に係る生理用布ナプキンについて、図面を参照して説明する。図１〜図４は本実施の形態に係る生理用布ナプキンを構成する部品を示し、図５及び図６は各部品を組み立てて生理用布ナプキンを形作った状態を示す。図５は本実施の形態に係る生理用布ナプキンの表側（下着側）から見た図であり、図６は裏側（人体側）から見た図である。
【０００８】
本実施の形態に係る生理用布ナプキンは、吸収性を有する吸収部本体１に吸収部本体１の機能を補う補助部材２〜４が凸ボタンと凹ボタンとからなるスナップボタンにより着脱自在に取り付けられて構成される。
【０００９】
吸収部本体１は、図４に示すように、主として吸収機能を備えた吸収部１ａと、この吸収部１ａの表面に縫い目１ｃにより片持ち状態で縫い付けられたベルト部材１ｂとを備えている。ベルト部材１ｂにはその長さ方向に沿って３個のスナップボタン１ｄ，１ｅ，１ｆが設けられている。
【００１０】
吸収部１ａは、柄などが織り込まれた表地と、防水機能を有する防水シートと、吸収機能を有する布地（例えばキルトニット地）と、表地よりも幅方向、長さ方向共に短い寸法を有する吸収機能を備えた布地（例えば、キルトニット地）２枚と、ニット起毛地２枚とをこの順番で積層し、吸収部１ａの周縁を縁取りするように縫製して平板状に形成されている。ベルト部材１ｂは、吸収部１ａと同じ表地と裏地（ニット起毛地）を積層して周縁を縁取りするように縫製されている。
【００１１】
補助部材２，３は補助の吸収部材を構成し、図１又は図２に示すように、補助吸収部２ａ，３ａと、補助吸収部２ａ，３ａに形成されたスナップボタン２ｂ，３ｂを備えている。これらの補助吸収部２ａ，３ａは、吸収部１ａと同様に、表地と、防水シートと、ニット起毛地２枚とをこの順番で積層して周縁部を縁取りするように縫製して平板状に形成されている。
【００１２】
補助部材４は吸収部本体１を下着に係止するための係止部材を構成し、図３に示すように、係止部４ａと、係止部４ａに形成された４個のスナップボタン４ｂ，４ｃ，４ｄ，４ｅとを備えている。係止部４ａは、吸収部１ａの表地と同じ生地からなる表地と裏地を２枚合わせて周縁を縁取りするように縫製して、平板状に形成されている。スナップボタン４ｃは吸収部本体１のベルト部材１ｂのスナップボタン１ｅに係止されるものであり、スナップボタン４ｂ，４ｄ，４ｅは係止部４ａの両端部を重合させた際に相互に係合させられるものである。スナップボタン４ｄ，４ｅは長さ調整のために２個設けたものである。
【００１３】
上記スナップボタン１ｄ，１ｅ，１ｆ，２ｂ，３ｂ，４ｂ，４ｃ，４ｄ，４ｅは本発明の連結部を構成する。吸収部本体１に補助部材２〜４を取り付ける連結部としては、相互に係合し合うマジックテープ（登録商標）のような面テープであってもよい。この場合、吸収部本体１側に設ける面テープは複数箇所であってもよいが、当該面テープを吸収部本体１の長さ方向に沿って設ければ、面テープが設けられた補助部材２〜４を吸収部本体１の長さ方向の任意の位置に取り付けることができる。これにより、使用者の状況や好みに応じて適切な位置に補助部材２〜４を設けることができる。
【００１４】
次に、本実施の形態に係る生理用布ナプキンの使用方法について説明する。ここでは補助部材２〜４をすべて吸収部本体１に取り付ける場合を例に説明するが、すべての補助部材を取り付ける必要もなく、補助部材も図示のものに限られず寸法や形状を異ならせたものを取り付けるようにしてもよい。
【００１５】
図５及び図６に示すように、吸収部本体１に形成されたベルト部材１ｂに設けられたスナップボタンに補助部材２〜４を順次取り付けていく。
【００１６】
まず、補助部材２をベルト部材１ｂと吸収部１ａとの間に介挿させ、ベルト部材１ｂに設けられたスナップボタン１ｄに補助部材２に設けられたスナップボタン２ｂを係合させる。これにより補助部材２は吸収部本体１の側方に張り出した状態で配置される。
【００１７】
次いで補助部材４をベルト部材１ｂと吸収部１ａとの間であって補助部材２とベルト部材１ｂとの間に介挿させ、ベルト部材１ｂに設けられたスナップボタン１ｅに補助部材４に設けられたスナップボタン４ｃを係合させる。この状態では、補助部材４はベルト部材１ｂの両側から外方に向かって突出する形になるが、これらの突出部の端部を重合させて端部付近に設けられたスナップボタン同士を係合させることにより図示のように下着を巻き込むようにループ状にされる。
【００１８】
次いで、補助部材３をベルト部材１ｂと吸収部１ａとの間に介挿させ、ベルト部材１ｂに設けられたスナップボタン１ｆに補助部材３に設けられたスナップボタン３ｂを係合させる。これにより、補助部材３は吸収部本体１の側方及び後方に張り出した状態で配置される。
【００１９】
このように、補助部材２及び３は吸収部本体１の側方及び後方に張り出して配置されるので、側方及び後方に漏れ出した経血などを確実に吸収させることができる。さらに、補助部材４により吸収部本体１は下着に係止されているので、不用意に吸収部本体１が外れてしまうことがない。補助部材２，３は一部がオーバーラップして配置され、その重合部における吸収機能を高めることができる。
【００２０】
次に、本発明の実施の他の形態に係る生理用布ナプキンについて図面を参照して説明する。図７〜図１０は本実施の形態に係る生理用布ナプキンを構成する部品を示し、図１１及び図１２は各部品を組み立てて生理用布ナプキンを形作った状態を示す。図１１は本実施の形態に係る生理用布ナプキンの表側（下着側）から見た図であり、図１２は裏側（人体側）から見た図である。
【００２１】
本実施の他の形態に係る生理用布ナプキンは、上述の実施の一形態に係る生理用布ナプキンと同様に、吸収性を有する吸収部本体１１に吸収部本体１１の機能を補う補助部材１２〜１４が凸ボタンと凹ボタンとからなるスナップボタンにより着脱自在に取り付けられて構成される。
【００２２】
吸収部本体１１は、図１０に示すように、主として吸収機能を備えた吸収部１１ａと、この吸収部１１ａの表面に縫い目１１ｃにより片持ち状態で縫い付けられたベルト部材１１ｂとを備えている。ベルト部材１１ｂの裏面にはその長さ方向に沿って３個のスナップボタン１１ｄ，１１ｅ，１１ｆが設けられ、表面にはその長さ方向に沿って３個のスナップボタン１１ｇ，１１ｈ，１１ｉが設けられている。
【００２３】
吸収部１１ａは、角が丸められた平面視ほぼ正方形をなしており、ニット起毛地からなる表地と、エアーニット地と、キルトニットからなる裏地とをこの順番で積層し、吸収部１１ａの周縁を縁取りするように縫製して平板状に形成されている。前述の実施の一形態に係る生理用布ナプキンとは異なり防水シートは積層されてはいない。このため両面で吸収を行うことができる。
【００２４】
補助部材１２，１３は補助の吸収部材を構成し、図７及び図８に示すように、補助吸収部１２ａ，１３ａと、補助吸収部１２ａ，１３ａに形成されたスナップボタン１２ｂ，１３ｂ，１３ｃを備えている。前記吸収部１１ａと同様な生地を積層して周縁部を縁取りするように縫製して平板状に形成されている。
【００２５】
補助部材１４は吸収部本体１１を下着に係止するための係止部材を構成し、図９に示すように、係止部１４ａと、係止部１４ａに形成された４個のスナップボタン１４ｂ，１４ｃ，１４ｄ，１４ｅとを備えている。前記吸収部１１ａと同様なニット起毛地とエアーニット地を積層して周縁部を縁取りするように縫製することにより平板状に形成されている。スナップボタン１４ｂ，１４ｃ，１４ｄ，１４ｅは前述の一形態の４ｂ，４ｃ，４ｄ，４ｅと同様な作用効果をもつ。
【００２６】
次に、本実施の形態に係る生理用布ナプキンの使用方法について説明する。ここでは補助部材１２〜１４をすべて吸収部本体１１に取り付ける場合を例に説明するが、すべての補助部材を取り付ける必要もないし、補助部材も図示のものに限られず寸法や形状を異ならせたものを取り付けるようにしてもよいことは、前述の一形態と同様である。
【００２７】
図１１及び図１２に示すように、吸収部本体１１に形成されたベルト部材１１ｂに設けられたスナップボタンに補助部材１２〜１４を順次取り付けていく。
【００２８】
まず、図１２に示すように、吸収部本体１の吸収部１１ａをベルト部材１１ｂに沿うように３つ折りにして短冊状にする。
【００２９】
次いで、補助部材１２をベルト部材１１ｂと吸収部１１ａとの間に介挿させ、ベルト部材１１ｂに設けられたスナップボタン１１ｄに補助部材１２に設けられたスナップボタン１２ｂを着脱自在に係合させる。これにより補助部材１２は３つ折りにされた吸収部本体１１の側方に張り出した状態で配置される。
【００３０】
次いで補助部材１４をベルト部材１１ｂと吸収部１１ａとの間であって補助部材１２とベルト部材１１ｂとの間に介挿させ、ベルト部材１１ｂに設けられたスナップボタン１１ｅに補助部材１４に設けられたスナップボタン１４ｃを係合させる。前述の実施の一形態と同様に、補助部材１４はベルト部材１１ｂの両側から外方に向かって突出する形になるが、これらの突出部の端部を重合させてスナップボタン同士を係合させることにより下着を巻き込むようにループ状にされる。
【００３１】
次いで、補助部材１３をベルト部材１１ｂと吸収部１１ａとの間に介挿させ、ベルト部材１１ｂに設けられたスナップボタン１１ｆに補助部材１３に設けられたスナップボタン１３ｂを係合させる。これにより、補助部材１３は吸収部本体１１の側方及び後方に張り出した状態で配置される。
【００３２】
このように、補助部材１２及び１３が吸収部本体１１の側方及び後方に張り出して配置されるので、側方及び後方に漏れ出した経血などを確実に吸収させることができる。さらに、補助部材１４により吸収部本体１１は下着に係止されているので、不用意に吸収部本体１１が外れてしまうことがない。補助部材１２，１３の重合部（オーバーラップ部）の厚さが厚くなり、この部分の吸収機能を高めることができる。
【００３３】
吸収部本体１１に形成されたベルト部材１１ｂには、スナップボタン１１ｄ，１１ｅ，１１ｆの他に、その向きを反対にしたスナップボタン１１ｇ，１１ｈ，１１ｉが、スナップボタン１１ｄ，１１ｅ，１１ｆに隣接して設けているので、吸収部本体１１の折り返し方向を逆にして反対面を吸収に使用しようとする際に、ベルト部材１１ｂを吸収部本体１１の折り返し方向の変更に応じてほぼ３６０°回転させて位置させ、スナップボタン１１ｇ，１１ｈ，１１ｉのいずれかに補助部材１２〜１４を取り付けて使用することができる。
【図面の簡単な説明】
【００３４】
【図１】本発明の実施の一形態に係る生理用布ナプキンを構成する部品を示す図である。
【図２】本発明の実施の一形態に係る生理用布ナプキンを構成する部品を示す図である。
【図３】本発明の実施の一形態に係る生理用布ナプキンを構成する部品を示す図である。
【図４】本発明の実施の一形態に係る生理用布ナプキンを構成する部品を示す図である。
【図５】本発明の実施の一形態に係る生理用布ナプキンの使用状態を示す図である。
【図６】本発明の実施の一形態に係る生理用布ナプキンの使用状態を示す図である。
【図７】本発明の実施の他の形態に係る生理用布ナプキンを構成する部品を示す図である。
【図８】本発明の実施の一形態に係る生理用布ナプキンを構成する部品を示す図である。
【図９】本発明の実施の一形態に係る生理用布ナプキンを構成する部品を示す図である。
【図１０】本発明の実施の一形態に係る生理用布ナプキンを構成する部品を示す図である。
【図１１】本発明の実施の他の形態に係る生理用布ナプキンの使用状態を示す図である。
【図１２】本発明の実施の他の形態に係る生理用布ナプキンの使用状態を示す図である。
【符号の説明】
【００３５】
１，１１    吸収部本体
１ａ，１１ａ    吸収部
１ｂ，１１ｂ    ベルト部材
１ｃ，１１ｃ    縫い目
１ｄ，１ｅ，１ｆ，１１ｄ，１１ｅ，１１ｆ    スナップボタン
１１ｇ，１１ｈ，１１ｉ    スナップボタン
２，１２    補助部材
２ａ，１２ａ    補助吸収部
２ｂ，１２ｂ    スナップボタン
３，１３    補助部材
３ａ，１３ａ    補助吸収部
３ｂ，１３ｂ    スナップボタン
４    補助部材
４ａ，１４ａ    係止部
４ｂ，４ｃ，４ｄ，４ｅ，１４ｂ，１４ｃ，１４ｄ，１４ｅ    スナップボタン